(57)【要約】  本開示は、ロッカーアームおよびプルタブまたは作動ボタンを有する再封可能な閉鎖機構を含む容器を提供する。
2019507710.tif 000002
【特許請求の範囲】
【請求項１】
開口部を有するキャップカバーと、
再封可能な閉鎖機構と、
を備える、容器用の再封可能なキャップであって、
前記再封可能な閉鎖機構は、
作動タブと、
ロッカーアーム支柱と、
ロッカーアームと、を含み、
前記ロッカーアーム支柱は、前記作動タブに接続された第１端部と、前記ロッカーアームに接続された第２端部とを有し、前記ロッカーアームの前記第２端部は、前記作動タブが非作動位置にあるとき、前記キャップカバーの前記開口部と結合するよう構成されている、容器用の再封可能なキャップ。
【請求項２】
前記作動タブはプルタブである、請求項１に記載の再封可能なキャップ。
【請求項３】
前記ロッカーアームの前記第２端部はマウスピースプラグにより覆われている、請求項１に記載の再封可能なキャップ。
【請求項４】
前記マウスピースプラグは、ゴム、プラスチック、軟質プラスチック、発泡体、およびシリコーンからなる群より選択される材料で作られている、請求項３に記載の再封可能なキャップ。
【請求項５】
前記ロッカーアーム支柱は戻り止めを含む、請求項１に記載の再封可能なキャップ。
【請求項６】
前記戻り止めは、前記作動タブが非作動位置にあるとき、前記キャップカバー内に位置する戻り止め溝と結合するよう構成されている、請求項５に記載の再封可能なキャップ。
【請求項７】
前記キャップカバーは、前記作動タブを収容するよう構成されている上縁部、および、容器と結合するよう構成されている下縁部を有する、請求項１に記載の再封可能なキャップ。
【請求項８】
前記キャップカバーの前記上縁部は、前記作動タブを凹状の開口部に収容するよう構成されている、請求項７に記載の再封可能なキャップ。
【請求項９】
前記開口部は、前記作動タブと前記キャップカバーの周縁部との間に位置する、請求項１に記載の再封可能なキャップ。
【請求項１０】
開口部を有するキャップカバーと、
再封可能な閉鎖機構と、
を備える、容器用の再封可能なキャップであって、
前記再封可能な閉鎖機構は、
押しボタンタブと、
作動部支柱と、
ばねと、
Ｏ型リングと、
前記キャップカバーの前記開口部と再封可能に結合するよう構成されている遠位ロッカーアーム端部を有するロッカーアームと、
ロッキングキャップ部材と、を含み、
前記作動部支柱は前記キャップカバーを貫通しており、且つ、前記作動部支柱は、前記押しボタンタブと相互作用するよう構成されている第１端部と、前記ロッカーアームを貫通して摺動する第２端部であって、前記ロッキングキャップ部材と結合することによって前記ロッカーアームを前記作動部支柱の該第２端部に接した状態で保持する第２端部と、を有し、前記ばねおよびＯ型リングは、前記ロッカーアームと前記押しボタンタブとの間の前記作動部支柱上に位置している、容器用の再封可能なキャップ。
【請求項１１】
前記押しボタンタブは、作動位置と非作動位置との間で切り替わる、請求項１０に記載の再封可能なキャップ。
【請求項１２】
前記ロッカーアームの前記第２端部は、マウスピースプラグにより覆われている、請求項１０に記載の再封可能なキャップ。
【請求項１３】
前記マウスピースプラグは、ゴム、プラスチック、軟質プラスチック、発泡体、およびシリコーンからなる群より選択される材料で作られる、請求項１２に記載の再封可能なキャップ。
【請求項１４】
前記押しボタンタブは、戻り止めを含む、請求項１０に記載の再封可能なキャップ。
【請求項１５】
前記戻り止めは、前記押しボタンタブが非作動位置にあるとき、前記キャップカバー内に位置する戻り止め溝と嵌合するよう構成されている、請求項１４に記載の再封可能なキャップ。
【請求項１６】
前記キャップカバーは、前記押しボタンタブを収容するよう構成されている上縁部、および、容器と結合するよう構成されている下縁部を有する、請求項１０に記載の再封可能なキャップ。
【請求項１７】
前記ばねは、前記作動部支柱の前記第１端部のフランジ部に当接する第１ばね端部と、前記キャップカバーの上部に対して取り付けられている第２ばね端部とを有する、請求項１０に記載の再封可能なキャップ。
【請求項１８】
前記押しボタンタブが作動位置にあるとき、前記ばねは圧縮され、前記押しボタンタブが非作動位置にあるとき、前記ばねは圧縮されない、請求項１７に記載の再封可能なキャップ。
【請求項１９】
前記押しボタンタブが、前記ばねが圧縮される前記作動位置にあるとき、前記遠位ロッカーアーム端部は、前記開口部から離れて位置する、請求項１８に記載の再封可能なキャップ。
【発明の詳細な説明】
【発明の詳細な説明】
【０００１】
関連する出願
本出願は、米国特許法第１１９条（ｅ）の下で、米国仮出願番号６２/３０３,９５３（２０１６年３月４日出願）に基づく優先権の利益を主張するものであり、参照によりその全体が本明細書に援用される。
技術分野
本開示は、容器キャップに関し、より詳細には、再封可能な閉鎖機構を有する容器に関する。
背景
一般的には、容器は、流体が容器へ入る、および／または、容器から出る際に通る開口の開閉機構（例えば、ねじ式キャップ、フリップキャップなど）を含むことができる。容器内の流体を利用するために、使用者は、通例、容器の開口に対してキャップまたは蓋の一部を移動させまたは取り外し、これにより、容器内への流体経路が、提供され、および／または、利用可能になる。改良された再封可能な閉鎖機構を提供する解決策が必要とされている。
発明の概要
一態様では、本開示は、開口部を有するキャップカバーと、再封可能な閉鎖機構と、を備える、容器用の再封可能なキャップであって、前記再封可能な閉鎖機構は、作動タブと、ロッカーアーム支柱と、ロッカーアームと、を含み、前記ロッカーアーム支柱は、前記作動タブに接続された第１端部と、前記ロッカーアームに接続された第２端部とを有し、前記ロッカーアームの前記第２端部は、前記作動タブが非作動位置にあるとき、前記キャップカバーの前記開口部と結合するよう構成されている、容器用の再封可能なキャップを提供する。
【０００２】
一実施形態では、前記作動タブはプルタブである。
【０００３】
一実施形態では、前記ロッカーアームの前記第２端部はマウスピースプラグにより覆われている。
【０００４】
一実施形態では、前記マウスピースプラグは、ゴム、プラスチック、軟質プラスチック、発泡体、およびシリコーンからなる群より選択される材料で作られる。
【０００５】
一実施形態では、前記ロッカーアーム支柱は戻り止めを含む。一実施形態では、前記戻り止めは、前記作動タブが非作動位置にあるとき、前記キャップカバー内に位置する戻り止め溝と嵌合するよう構成されている。
【０００６】
一実施形態では、前記キャップカバーは、前記作動タブを収容するよう構成されている上縁部、および、容器と結合するよう構成されている下縁部を有する。
【０００７】
一実施形態では、前記キャップカバーの前記上縁部は、前記作動タブを凹状の開口部に収容するよう構成されている。
【０００８】
一実施形態では、前記開口部は、前記作動タブと前記キャップカバーの周縁部との間に位置する。
【０００９】
一態様では、本開示は、開口部を有するキャップカバーと、再封可能な閉鎖機構と、を備える、容器用の再封可能なキャップであって、前記再封可能な閉鎖機構は、押しボタンタブと、作動部支柱と、ばねと、Ｏ型リングと、前記キャップカバーの前記開口部と再封可能に結合するよう構成されている遠位ロッカーアーム端部を有するロッカーアームと、ロッキングキャップ部材と、を含み、前記作動部支柱は前記キャップカバーを貫通しており、且つ、前記作動部支柱は、前記押しボタンタブと相互作用するよう構成されている第１端部と、前記ロッカーアームを貫通して摺動する第２端部であって、前記ロッキングキャップ部材と結合することによって前記ロッカーアームを前記作動部支柱の該第２端部に接した状態で保持する第２端部と、を有し、前記ばねおよびＯ型リングは、前記ロッカーアームと前記押しボタンタブとの間の前記作動部支柱上に位置している、容器用の再封可能なキャップを提供する。
【００１０】
一実施形態では、前記押しボタンタブは、作動位置と非作動位置との間で切り替わる。
【００１１】
一実施形態では、前記ロッカーアームの前記第２端部はマウスピースプラグにより覆われている。
【００１２】
一実施形態では、前記マウスピースプラグは、ゴム、プラスチック、軟質プラスチック、発泡体、およびシリコーンからなる群より選択される材料で作られる。
【００１３】
一実施形態では、前記押しボタンタブは戻り止めを含む。
【００１４】
一実施形態では、前記戻り止めは、前記押しボタンタブが非作動位置にあるとき、前記キャップカバー内に位置する戻り止め溝と嵌合するよう構成されている。
【００１５】
一実施形態では、前記キャップカバーは、前記押しボタンタブを収容するよう構成されている上縁部、および、容器と結合するよう構成されている下縁部を有する。
【００１６】
一実施形態では、前記ばねは、前記作動部支柱の前記第１端部のフランジ部に当接する第１ばね端部と、前記キャップカバーの上部に対して取り付けられている第２ばね端部とを有する。
【００１７】
一実施形態では、前記押しボタンタブが前記作動位置にあるとき、前記ばねは圧縮され、前記押しボタンタブが非作動位置にあるとき、前記ばねは圧縮されない。
【００１８】
一実施形態では、前記押しボタンタブが、前記ばねが圧縮される前記作動位置にあるとき、前記遠位ロッカーアーム端部は、前記開口部から離れて位置する。
定義
以下、本開示の様々な実施形態について詳しく言及する。本開示の実施例は添付の図面により示され、以下に記載される。例示的な実施形態が記載されるが、本開示は、これらの例示的な実施形態に限定されないことが理解されるだろう。逆に、本開示は、本明細書に記載の実施形態のみならず、本開示の精神および範囲に含まれる様々な代替例、変形例、均等物および他の実施形態を網羅する。
【００１９】
本明細書に記載の範囲は、該範囲内のすべての値についての省略表現であることが理解されるだろう。例えば、１〜５０の範囲は、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０からなる群のうちの任意の数字、数字の組み合わせ、または、小範囲、さらに、例えば、１．１、１．２、１．３、１．４、１．５、１．６、１．７、１．８、および１．９のような、前記整数の間にある小数値を含む。小範囲に関しては、範囲のいずれかの端点から広がる「入れ子小範囲」が特に想定されている。例えば、例示的な範囲１〜５０の入れ子小範囲は、１つの方向では１〜１０、１〜２０、１〜３０および１〜４０を含み、別の方向では５０〜４０、５０〜３０、５０〜２０および５０〜１０を含む。
【００２０】
特段の断りのない限り、または、文脈から明らかでない限り、本明細書で使用される「約（about）」という用語は、当該技術分野における通常の許容範囲の範囲内であり、例えば、平均の２標準偏差以内である。「約」は表示値の１０％、９％、８％、７％、６％、５％、４％、３％、２％、１％、０．５％、０．１％、０．０５％、または０．０１％以内である。文脈から明らかに否定されない限り、本明細書のすべての数値は、「約」により修飾される。
【００２１】
文脈が明確に否定しない限り、本明細書で使用される単数形「一つの（a）」、「一つの（an）」および「前記（the）」は、複数の参照を含む。
図面の簡単な説明
本発明の本質および所望の目的のより十分な理解のため、添付の図面とともに以下の詳細な説明を参照する。図面においては、いくつかの視点を通じて、同様の参照文字は対応する部分を示す。
【００２２】
図１は、本発明の例示的な実施形態にかかる再封可能な容器の斜視図である。
【００２３】
図２は、本発明の例示的な実施形態にかかる再封可能な容器の正面図である。
【００２４】
図３は、本発明の例示的な実施形態にかかる再封可能な容器の右側面図である。
【００２５】
図４は、本発明の例示的な実施形態にかかる再封可能な容器の左側面図である。
【００２６】
図５は、本発明の例示的な実施形態にかかる再封可能な容器の背面図である。
【００２７】
図６は、本発明の例示的な実施形態にかかる再封可能な容器の上面図である。
【００２８】
図７は、本発明の例示的な実施形態にかかる再封可能な容器の底面図である。
【００２９】
図８は、本発明の例示的な実施形態にかかる再封可能な容器の分解図である。
【００３０】
図９は、本発明の例示的な実施形態にかかる再封可能な容器の断面正面図である。
【００３１】
図１０は、本発明の例示的な実施形態にかかる再封可能な容器の断面右側面図である。
【００３２】
図１１は、本発明の例示的な実施形態にかかる再封可能な容器のキャップアセンブリの分解図である。
【００３３】
図１２は、本発明の例示的な実施形態にかかる、開放位置から解放可能となって、閉鎖位置にある再封可能な容器の部分断面図である。
【００３４】
図１３は、本発明の例示的な実施形態にかかる、閉鎖位置から開放位置へと開放された直後の再封可能な容器の部分断面図である。
【００３５】
図１４Ａおよび図１４Ｂは、本発明の例示的な実施形態にかかる再封可能な容器の代替的実施形態の分解図である。
【００３６】
図１５Ａは、本発明の例示的な実施形態の、閉鎖状態の部分断面図である。
【００３７】
図１５Ｂは、本発明の例示的な実施形態の、開放状態の部分断面図である。
【００３８】
図１６は、本発明の別の実施形態にかかる再封可能な容器の例示的な実施形態の上面図である。
【００３９】
図１７は、本発明の例示的な実施形態の底面斜視図である。
発明の詳細な説明
本開示は再封可能な閉鎖機構機能を有する容器を提供する。特に、本開示の例示的な実施形態にかかる再封可能な容器には、飲料容器またはスポーツ容器が含まれ得る。本開示は、少なくとも部分的には、流体漏れを最小化する再封可能な閉鎖機構の発見に基づく。以下、図面を参照する。該図面では、同様の参照番号は、本開示の同様の構造態様を特定する。
【００４０】
図１〜図７を参照すると、再封可能な容器１００は、容器１０５、キャップアセンブリ１１０、および容器基部１３５を含んでいてもよい。キャップアセンブリ１１０は、いくつかの機構を介して容器１０５に着脱可能に接続されることができるものであってもよい。該機構は、ねじ接続部、ツイストロック接続部、スナップフィット接続部などを含むが、これらに限定されない。同様に、容器基部１３５は、いくつかの異なる機構（例えば、ねじ接続部、ツイストロック接続部、スナップフィット接続部など）を介して、容器１０５に接続されていてもよい。キャップアセンブリ１１０は、キャップカバープレート１５０、縁部１２５、および開口部１１５を含むものであってもよい。容器１００は、任意の適切な容器（例えば、ボトル、スポーツボトル、魔法瓶など）であってもよい。本開示の容器１００は、再封可能な閉鎖機構１５５（図８を参照）を有していてもよく、該再封可能な閉鎖機構１５５は、プルタブ１２０およびマウスピースプラグ１１６を有しているものであってもよい。プルタブ１２０は、任意の適切な材料からなるものであってよく、該材料としてポリプロピレンが挙げられるが、これに限定されない。開口部１１５は、任意の適切な形状であってよく、該形状として円形、卵形および楕円が挙げられるが、これらに限定されない。さらに、開口部１１５は、任意の適切な場所に配置されていてもよい。例示的な一実施形態では、開口部１１５は、プルタブ１２０の正面に直接配置してよい。
【００４１】
本明細書に記載の再封可能な容器１００の任意の部分およびすべての部分は、任意の適切な材料からなるものであってよく、該材料として、例えば、プラスチック、金属、セラミック、またはその組み合わせが挙げられるが、これらに限定されない。本開示のプラスチックには、例えば、ポリエチレンテレフタレート（ＰＥＴ）、高密度ポリエチレン、低密度ポリエチレン、ビニール、ポリプロピレン、およびポリスチレンが含まれ得る。さらに、本開示の適切な金属はアルミニウムおよび鉄（例えば、鋼、ステンレス鋼、および鋳鉄）を含むことができる。本明細書に記載の任意の封止部（seal）は、任意の適切な封止材料からなるものであってよく、該封止材料として、例えば、ゴム、プラスチック、軟質プラスチック、および／または発泡体が挙げられるが、これらに限定されない。容器１０５は、任意の適切な形状およびデザインを有するものであってよい。
【００４２】
図８〜図１０を参照して、再封可能な閉鎖機構１５５を詳細に説明する。図８は再封可能な容器１００の分解図を示す。特に、これらの部品は、（例えば、既知の成形技術で）それぞれ個別に構成してもよいし、様々な組み合わせで構成してもよいし、または、（例えば、３Ｄ印刷または他の同様の成形技術で）一体型設計として構成してもよい。再封可能な閉鎖機構１５５は、キャップカバープレート１５０と、プルタブ１２０と、マウスピースプラグ１１６と、Ｏ型リング１６５、または、マウスピースプラグ１１６の周囲の漏れを最小限にすることができる他のエラストマー材料と、上端キャップ締め付け具１６０と、キャップ封止リング１７０と、ロッカーアーム１８０とを含むものであってもよい。上端キャップ締め付け具１６０は、いくつかの機構を介して、キャップカバープレート１５０および下端キャップ締め付け具１９０に接続されていてもよい。該機構は、ねじ接続部、ツイストロック接続部、スナップフィット接続部などを含むが、これらに限定されない。
【００４３】
いくつかの実施形態では、封止リング１７０は、シリコーンなどの、柔軟で、好ましくは食品に対して安全な材料から成形された単一の部材であってもよい。別の実施形態では、複数の材料を用いて、選択的に一部の領域で剛性を高め、且つ、他の領域で柔軟性を高めてもよい。
【００４４】
いくつかの実施形態では、再封可能な容器１００は、外壁１９５および内壁１８５を含むものであってもよい。内壁１８５は、下端キャップ締め付け具１９０を含んでいてもよい。いくつかの実施形態では、該下端キャップ締め付け具１９０は、いくつかの適切な機構（例えば、ねじ接続部、ツイストロック接続部、スナップフィット接続部など）を介して、再封可能な閉鎖機構１５５の上端キャップ締め付け具１６０と結合することができる。いくつかの実施形態では、内壁１８５は、任意の適切な材料からなってよく、該材料として、例えば、ステンレス鋼、アルミニウムなどが挙げられるが、これらに限定されない。別の実施形態では、再封可能な容器１００は、容器基部プレート１３６および容器基部カバー１３７を含むものであってもよい。
【００４５】
図９は、再封可能な容器１００の断面正面図である。該断面図に示すように、いくつかの実施形態では、容器１０５は、外壁１９５および内壁１８５を有する二重壁式容器であってもよい。容器１０５の外壁１９５および内壁１８５の間には画定容積１８６が含まれていてもよい。例示的な一実施形態では、画定容積１８６は、４オンス、８オンス、１６オンス、２４オンス、３２オンスを収容することができるサイズである。当業者ならば、特定の用途に合わせて、貯蔵部のサイズを拡大および縮小することができるとわかるであろう。
【００４６】
図１０は、再封可能な容器１００の断面側面図である。該断面側面図では、再封可能な閉鎖機構１５５は、よりはっきりと見える。再封可能な閉鎖機構１５５は、ロッカーアーム支持部２２０、ロッカーアーム係合支柱２１０、戻り止め２１５、および戻り止め溝２２５を含んでいてもよい（図１２を参照）。
【００４７】
図１１は、キャップアセンブリ１１０、プルタブ１２０、およびマウスピースプラグ１１６の分解図である。キャップカバープレート１５０は、いくつかの機構を介して、下端キャップ締め付け具１９０に接続されていてもよい。該機構は、ねじ接続部、ツイストロック接続部、スナップフィット接続部などを含むが、これらに限定されない。
【００４８】
図１２は、再封可能な閉鎖機構１５５の閉鎖状態の断面図である。図１２では、再封可能な閉鎖機構１５５はロック／閉鎖／封止位置にある。該断面図からよりはっきりと見られるように、ロッカーアーム１８０は、ロッカーアーム係合支柱２１０を介して、プルタブ１２０に接続されていてもよい。ロッカーアーム係合支柱２１０は、ロッカーアーム１８０と係合することができ、一方、ロッカーアーム１８０の反対側の端部は、マウスピースプラグ１１６と係合し、それによって、開口部１１５と係合することができる。プルタブ１２０は、プルタブ１２０に設けられた戻り止め２１５により、閉鎖位置にロックされることができる。戻り止め溝２２５は、戻り止め溝２２５の位置にあるとき、ロッカーアーム支持部２２０の中に位置していてもよい。前記閉鎖状態の断面図では、マウスピースプラグ１１６は、開口部１１５と係合して封止することができ、それによって、漏れを最小限にする。
【００４９】
図１３は、再封可能な閉鎖機構１５５の開放状態の断面図である。図１３では、再封可能な閉鎖機構１５５は、アンロック／開封／開放位置にある。該断面図からよりはっきりと見られるように、ロッカーアーム１８０は、ロッカーアーム係合支柱２１０を介して、プルタブ１２０と係合していてもよい。プルタブ１２０は、使用者により開放／アンロック位置に引っ張られ、それにより、プルタブ１２０に設けられた戻り止め２１５が戻り止め溝２２５から外れ、これにより、ロッカーアーム１８０は、マウスピースプラグ１１６が開口部１１５と係合しなくなるように回動することが可能になる。前記開放状態の断面図では、マウスピースプラグ１１６は、開口部１１５と係合していない。これにより、供給および／または利用のために容器１０５から液体を流出させることが可能になる。使用者は、キャップカバープレート１５０に向かってプルタブ１２０を押して戻り止め２１５を戻り止め溝２２５と係合させ、それによって、マウスピース１１６を開口部１１５と係合させ、再封可能な閉鎖機構１５５をロックすることができる。
【００５０】
さらなる実施形態では、キャップアセンブリ１１０および再封可能な閉鎖機構１５５の一部は、例えば、洗浄、交換などのために、（例えば、ねじ機構により）基部から着脱可能であってよい。
【００５１】
図１４は、本開示の代替的実施形態２２９の分解図である。該実施形態では、プルタブは、押しボタン作動部に置き換えられている。特に、これらの部品は、（例えば、既知の成形技術で）それぞれ個別に構成されてもよいし、様々な組み合わせで構成されてもよいし、または、（例えば、３Ｄ印刷または他の同様の成形技術で）一体型設計として構成されてもよい。容器１００の代替的実施形態２２９は、押しボタン２３０、キャップカバープレート１５０、上端キャップ締め付け具１６０、キャップ封止リング１７０、マウスピース１１６、ばね２３５、Ｏ型リング１６５、作動部２４０、ロッカーアーム１８０、ヒンジピボットポイント（hinge pivot point）２５０、および、端部ロッキングキャップ部材２４５を含んでいてもよい。ロッカーアーム１８０は、ヒンジピボットポイント２５０を含んでいてもよい。上端キャップ締め付け具１６０は、いくつかの機構を介して、下端キャップ締め付け具１９０に接続されていてもよい。該機構は、ねじ接続部、ツイストロック接続部、スナップフィット接続部などを含むが、これらに限定されない。本開示のばね２３５は、圧縮および／または伸張するように設計されている螺旋ばねまたはコイルばねであってよい。ばね２３５の材料は、材料（例えば、金属、プラスチック、セラミック、またはその組み合わせ）の任意の組み合わせを含んでいてもよい。押しボタン２３０は、いくつかの適切な材料からなるものであってよく、該材料として、プラスチック、金属、またはその組み合わせが挙げられるが、これらに限定されない。端部ロッキングキャップ部材２４５がねじ機構を介して作動部２４０に接続されるように、作動部２５５にねじ山を設けてもよい。
【００５２】
本明細書に記載の再封可能な容器１００の代替的実施形態２２９の任意の部分およびすべての部分は、任意の適切な材料からなるものであってよく、該材料として、例えば、プラスチック、金属、セラミック、またはその組み合わせが挙げられるが、これらに限定されない。本開示のプラスチックには、例えば、ポリエチレンテレフタレート（ＰＥＴ）、高密度ポリエチレン、低密度ポリエチレン、ビニール、ポリプロピレン、およびポリスチレンが含まれ得る。さらに、本開示の適切な金属には、アルミニウムおよび鉄（例えば、鋼、ステンレス鋼、および鋳鉄）が含まれ得る。本明細書に記載の任意の封止部は、任意の適切な封止材料からなるものであってよく、例えば、ゴム、プラスチック、軟質プラスチック、および／または発泡体が挙げられるが、これらに限定されない。容器１０５は、任意の適切な形状およびデザインを有するものであってよい。
【００５３】
図１５Ａおよび図１５Ｂはそれぞれ、ロック／封止／閉鎖位置、および、開放／開封位置にある、再封可能な閉鎖機構１５５の代替的実施形態２２９の断面図である。図１５Ａでは、再封可能な閉鎖機構１５５の代替的実施形態２２９はロック位置にある。該断面図からよりはっきりと見られるように、ロッカーアーム１８０は、作動部１４０を介して押しボタン２３０に接続される。前記閉鎖状態の図では、マウスピースプラグ１１６は開口部１１５と係合して封止し、それによって、漏れを最小限にする。
【００５４】
図１５Ｂでは、再封可能な閉鎖機構１５５の代替的実施形態２２９は、アンロック／開放／開封位置にある。使用者は、ばね２３５が圧縮されるように押しボタン２３０の直線状作動部係合端部２５５を押下することができ、それによって、戻り止め２１５が戻り止め溝２２５から摺動して外れて、戻り止め溝２２５の上側の隆起溝に嵌まり込み、作動部２４０は、下向きに直線的にロックされる。前記開放状態の断面図では、マウスピースプラグ１１６は開口部１１５と係合しない状態となり得、それにより、供給および／または利用のために、流体が容器１０５から流出可能となる。その後、使用者は、押しボタン２３０のキャップカバー係合端部２６０を押下することができ、それによって、マウスピース１１６が開口部１１５と係合し、再封可能な閉鎖機構１５５がロックされる。
【００５５】
図１６は、代替的実施形態２２９の上面図である。
【００５６】
図１７は、本開示の代替的実施形態２２９の上面図である。代替的実施形態２２９は、押しボタン２３０、キャップカバープレート１５０、およびマウスピースカバー１１６を含んでいてもよい。
均等物
本発明の好ましい実施形態を、特定の用語を用いて説明したが、これらの説明は単に例示のためのものであり、以下の特許請求の範囲の精神または範囲から逸脱せずに変更および変形できることを理解すべきである。
【図面の簡単な説明】
【００５７】
【図１】本発明の例示的な実施形態にかかる再封可能な容器の斜視図である。
【図２】本発明の例示的な実施形態にかかる再封可能な容器の正面図である。
【図３】本発明の例示的な実施形態にかかる再封可能な容器の右側面図である。
【図４】本発明の例示的な実施形態にかかる再封可能な容器の左側面図である。
【図５】本発明の例示的な実施形態にかかる再封可能な容器の背面図である。
【図６】本発明の例示的な実施形態にかかる再封可能な容器の上面図である。
【図７】本発明の例示的な実施形態にかかる再封可能な容器の底面図である。
【図８】本発明の例示的な実施形態にかかる再封可能な容器の分解図である。
【図９】本発明の例示的な実施形態にかかる再封可能な容器の断面正面図である。
【図１０】本発明の例示的な実施形態にかかる再封可能な容器の断面右側面図である。
【図１１】本発明の例示的な実施形態にかかる再封可能な容器のキャップアセンブリの分解図である。
【図１２】本発明の例示的な実施形態にかかる、開放位置から解放可能となって、閉鎖位置にある再封可能な容器の部分断面図である。
【図１３】本発明の例示的な実施形態にかかる、閉鎖位置から開放位置へと開放された直後の再封可能な容器の部分断面図である。
【図１４Ａ】本発明の例示的な実施形態にかかる再封可能な容器の代替的実施形態の分解図である。
【図１４Ｂ】本発明の例示的な実施形態にかかる再封可能な容器の代替的実施形態の分解図である。
【図１５Ａ】本発明の例示的な実施形態の、閉鎖状態の部分断面図である。
【図１５Ｂ】本発明の例示的な実施形態の、開放状態の部分断面図である。
【図１６】本発明の別の実施形態にかかる再封可能な容器の例示的な実施形態の上面図である。
【図１７】本発明の例示的な実施形態の底面斜視図である。
【図１】
2019507710.tif 000003
【図２】
2019507710.tif 000004
【図３】
2019507710.tif 000005
【図４】
2019507710.tif 000006
【図５】
2019507710.tif 000007
【図６】
2019507710.tif 000008
【図７】
2019507710.tif 000009
【図８】
2019507710.tif 000010
【図９】
2019507710.tif 000011
【図１０】
2019507710.tif 000012
【図１１】
2019507710.tif 000013
【図１２】
2019507710.tif 000014
【図１３】
2019507710.tif 000015
【図１４Ａ】
2019507710.tif 000016
【図１４Ｂ】
2019507710.tif 000017
【図１５Ａ】
2019507710.tif 000018
【図１５Ｂ】
2019507710.tif 000019
【図１６】
2019507710.tif 000020
【図１７】
2019507710.tif 000021
【国際調査報告】
2019507710.tif 000022
2019507710.tif 000023
2019507710.tif 000024